(57)【要約】【課題】ローカルディミング制御が行われる画像表示装置において、表示特性のキャリブレーションを精度良く行うことのできる技術を提供する。【解決手段】本発明の画像表示装置は、複数の発光部と、表示パネルと、分割領域毎に輝度情報を取得する第１取得手段と、発光部毎に発光量を決定し、各発光部を決定された発光量で発光させる第１制御手段と、画面の所定の領域からの光の検出値をセンサから取得する第２取得手段と、決定された各発光部の発光量に基づいて、所定の領域からの光に、発光部間の発光量の違いによる変化が生じるか否かを判定する第１判定手段と、センサの検出値を用いて表示特性のキャリブレーションを行うキャリブレーション手段と、上記変化が生じると判定されているときに得られた検出値をそのまま用いたキャリブレーションを抑制する制御を行う第２制御手段と、有する。【選択図】図１
2014238570.tif 000002
【特許請求の範囲】
【請求項１】
表示特性のキャリブレーションを実行可能な画像表示装置であって、
画面の領域を構成する複数の分割領域に対応する複数の発光部と、
入力画像データに基づく透過率で前記複数の発光部からの光を透過することにより、前記画面に画像を表示する表示パネルと、
前記分割領域毎に前記入力画像データの輝度情報を取得する第１取得手段と、
前記発光部毎に、前記第１取得手段で取得された各分割領域の輝度情報に基づいて発光量を決定し、各発光部を前記決定された発光量で発光させる第１制御手段と、
前記画面の所定の領域からの光の検出値をセンサから取得する第２取得手段と、
前記第１制御手段で決定された各発光部の発光量に基づいて、前記所定の領域からの光に、前記発光部間の発光量の違いによる変化が生じるか否かを判定する第１判定手段と、
前記センサの検出値を用いて前記キャリブレーションを行うキャリブレーション手段と、
前記第１判定手段で前記変化が生じると判定されているときに得られた検出値をそのまま用いたキャリブレーションが行われないように、前記センサ、前記第２取得手段、及び、前記キャリブレーション手段の少なくともいずれかを制御する第２制御手段と、
を有する
ことを特徴とする画像表示装置。
【請求項２】
前記第２制御手段は、前記第１判定手段で前記変化が生じると判定されているときに得られた検出値を使用せずに前記キャリブレーションが行われるように、前記キャリブレーション手段を制御する
ことを特徴とする請求項１に記載の画像表示装置。
【請求項３】
前記第２制御手段は、前記第１判定手段で前記変化が生じると判定されているときに前記光の検出が行われないように、前記センサを制御する
ことを特徴とする請求項１に記載の画像表示装置。
【請求項４】
前記所定の領域に明るさが互いに異なる３つのキャリブレーション用画像が表示され、残りの領域に前記入力画像データに応じた画像が表示されるように前記入力画像データを補正することにより、表示用画像データを生成する生成手段と、
中間の明るさのキャリブレーション用画像の検出値と、残り２つのキャリブレーション用画像間の検出値の差分値とを合成することにより、合成値を算出する算出手段と、
をさらに有し、
前記表示パネルは、前記表示用画像データに基づく透過率で前記複数の発光部からの光を透過することにより、前記画面に画像を表示し、
前記第１判定手段は、前記第１制御手段で決定された各発光部の発光量に基づいて前記変化の生じ易さを表す判定値を算出し、前記判定値を閾値と比較することにより前記変化が生じるか否かを判定し、
前記算出手段は、前記第１判定手段で算出された判定値が大きいほど、前記中間の明るさのキャリブレーション用画像の検出値に対する、前記残り２つのキャリブレーション用画像間の検出値の差分値の重みが高くなるように重みを設定して、前記合成値を算出し、
前記第２制御手段は、前記変化が生じないと判定されているときに、前記センサの検出値をそのまま用いて前記キャリブレーションが行われ、前記変化が生じると判定されているときに、前記算出手段で算出された合成値を用いて前記キャリブレーションが行われるように、前記キャリブレーション手段を制御する
ことを特徴とする請求項１に記載の画像表示装置。
【請求項５】
前記第１判定手段は、前記決定された発光量の最大値から最小値を減算した差分値の、
前記最大値に対する割合である第１判定値が閾値より大きい場合に、前記変化が生じると判定する
ことを特徴とする請求項１〜４のいずれか１項に記載の画像表示装置。
【請求項６】
前記第１判定値は、前記所定の領域から所定の範囲内に存在する分割領域に対応する発光部の発光量の最大値から最小値を減算した差分値の、前記最大値に対する割合である
ことを特徴とする請求項５に記載の画像表示装置。
【請求項７】
前記第１判定手段は、分割領域に対応する発光部の発光量と、当該分割領域に隣接する分割領域に対応する発光部の発光量との間の差分値の最大値である第２判定値が閾値より大きい場合に、前記変化が生じると判定する
ことを特徴とする請求項１〜６のいずれか１項に記載の画像表示装置。
【請求項８】
前記第２判定値は、前記所定の領域から所定の範囲内に存在する分割領域に対応する発光部の発光量と、当該分割領域に隣接する分割領域に対応する発光部の発光量との間の差分値の最大値である
ことを特徴とする請求項７に記載の画像表示装置。
【請求項９】
前記第２判定値は、前記所定の領域を含む分割領域に対応する発光部の発光量を、当該分割領域に隣接する分割領域に対応する発光部の発光量から減算した差分値の最大値である
ことを特徴とする請求項７に記載の画像表示装置。
【請求項１０】
前記入力画像データが動画の画像データであるか静止画の画像データであるかを判定する第２判定手段をさらに有し、
前記第２制御手段は、前記第２判定手段で前記入力画像データが動画の画像データであると判定されているときに得られた検出値を用いたキャリブレーションが行われないように、前記センサ、前記第２取得手段、及び、前記キャリブレーション手段の少なくともいずれかを制御する
ことを特徴とする請求項１〜９のいずれか１項に記載の画像表示装置。
【請求項１１】
表示特性のキャリブレーションを実行可能な画像表示装置の制御方法であって、
前記画像表示装置は、
画面の領域を構成する複数の分割領域に対応する複数の発光部と、
入力画像データに基づく透過率で前記複数の発光部からの光を透過することにより、前記画面に画像を表示する表示パネルと、
を有し、
前記画像表示装置の制御方法は、
前記分割領域毎に前記入力画像データの輝度情報を取得する第１取得ステップと、
前記発光部毎に、前記第１取得ステップで取得された各分割領域の輝度情報に基づいて発光量を決定し、各発光部を前記決定された発光量で発光させる第１制御ステップと、
前記画面の所定の領域からの光の検出値をセンサから取得する第２取得ステップと、
前記第１制御ステップで決定された各発光部の発光量に基づいて、前記所定の領域からの光に、前記発光部間の発光量の違いによる変化が生じるか否かを判定する第１判定ステップと、
前記センサの検出値を用いて前記キャリブレーションを行うキャリブレーションステップと、
前記第１判定ステップで前記変化が生じると判定されているときに得られた検出値をそのまま用いたキャリブレーションが行われないように、前記センサ、前記第２取得ステップ、及び、前記キャリブレーションステップの少なくともいずれかを制御する第２制御
ステップと、
を有することを特徴とする画像表示装置の制御方法。
【請求項１２】
前記第２制御ステップでは、前記第１判定ステップで前記変化が生じると判定されているときに得られた検出値を使用せずに前記キャリブレーションが行われるように、前記キャリブレーションステップを制御する
ことを特徴とする請求項１１に記載の画像表示装置の制御方法。
【請求項１３】
前記第２制御ステップでは、前記第１判定ステップで前記変化が生じると判定されているときに前記光の検出が行われないように、前記センサを制御する
ことを特徴とする請求項１１に記載の画像表示装置の制御方法。
【請求項１４】
前記所定の領域に明るさが互いに異なる３つのキャリブレーション用画像が表示され、残りの領域に前記入力画像データに応じた画像が表示されるように前記入力画像データを補正することにより、表示用画像データを生成する生成ステップと、
中間の明るさのキャリブレーション用画像の検出値と、残り２つのキャリブレーション用画像間の検出値の差分値とを合成することにより、合成値を算出する算出ステップと、をさらに有し、
前記表示パネルは、前記表示用画像データに基づく透過率で前記複数の発光部からの光を透過することにより、前記画面に画像を表示し、
前記第１判定ステップでは、前記第１制御ステップで決定された各発光部の発光量に基づいて前記変化の生じ易さを表す判定値を算出し、前記判定値を閾値と比較することにより前記変化が生じるか否かを判定し、
前記算出ステップでは、前記第１判定ステップで算出された判定値が大きいほど、前記中間の明るさのキャリブレーション用画像の検出値に対する、前記残り２つのキャリブレーション用画像間の検出値の差分値の重みが高くなるように重みを設定して、前記合成値を算出し、
前記第２制御ステップでは、前記変化が生じないと判定されているときに、前記センサの検出値をそのまま用いて前記キャリブレーションが行われ、前記変化が生じると判定されているときに、前記算出ステップで算出された合成値を用いて前記キャリブレーションが行われるように、前記キャリブレーション手段を制御する
ことを特徴とする請求項１１に記載の画像表示装置の制御方法。
【請求項１５】
前記第１判定ステップでは、前記決定された発光量の最大値から最小値を減算した差分値の、前記最大値に対する割合である第１判定値が閾値より大きい場合に、前記変化が生じると判定する
ことを特徴とする請求項１１〜１４のいずれか１項に記載の画像表示装置の制御方法。
【請求項１６】
前記第１判定値は、前記所定の領域から所定の範囲内に存在する分割領域に対応する発光部の発光量の最大値から最小値を減算した差分値の、前記最大値に対する割合である
ことを特徴とする請求項１５に記載の画像表示装置の制御方法。
【請求項１７】
前記第１判定ステップでは、分割領域に対応する発光部の発光量と、当該分割領域に隣接する分割領域に対応する発光部の発光量との間の差分値の最大値である第２判定値が閾値より大きい場合に、前記変化が生じると判定する
ことを特徴とする請求項１１〜１６のいずれか１項に記載の画像表示装置の制御方法。
【請求項１８】
前記第２判定値は、前記所定の領域から所定の範囲内に存在する分割領域に対応する発光部の発光量と、当該分割領域に隣接する分割領域に対応する発光部の発光量との間の差分値の最大値である
ことを特徴とする請求項１７に記載の画像表示装置の制御方法。
【請求項１９】
前記第２判定値は、前記所定の領域を含む分割領域に対応する発光部の発光量を、当該分割領域に隣接する分割領域に対応する発光部の発光量から減算した差分値の最大値である
ことを特徴とする請求項１７に記載の画像表示装置の制御方法。
【請求項２０】
前記入力画像データが動画の画像データであるか静止画の画像データであるかを判定する第２判定ステップをさらに有し、
前記第２制御ステップでは、前記第２の判定ステップで前記入力画像データが動画の画像データであると判定されているときに得られた検出値を用いたキャリブレーションが行われないように、前記センサ、前記第２取得ステップ、及び、前記キャリブレーションステップの少なくともいずれかを制御する
ことを特徴とする請求項１１〜１９のいずれか１項に記載の画像表示装置の制御方法。
【発明の詳細な説明】
【技術分野】
【０００１】
本発明は画像表示装置及びその制御方法に関する。
【背景技術】
【０００２】
近年、液晶表示装置の高画質化が進んでおり、表示デバイスの安定性、及び、表示画像（画面（表示面）に表示された画像）の階調性に対するユーザの要求レベルも日々高まっている。
しかしながら、液晶表示装置の表示特性は経年劣化により変化し、表示特性の変化により表示画像の階調性も変化してしまう。そのため、常に安定した階調性の画像を表示するためには、表示特性のキャリブレーションを定期的に行う必要がある。特に、診断用途で使用される医療用の表示装置においては、上記階調性の変化による診断への妨げが懸念されるため、安定した階調性の確保が重要視されている。
【０００３】
キャリブレーションの方法として、画面の一部の領域からの光を検出する光センサを用いる方法がある（特許文献１）。具体的には、上記一部の領域にキャリブレーション用画像を表示したときの光センサの検出値を用いて、キャリブレーションを行う方法がある。特許文献１に開示の技術では、光センサがベゼル部に収容可能となっており、キャリブレーションの実行時にのみ画面と対向するように配置される。そのため、キャリブレーションの実行時以外に、光センサによって画面の一部が覆われることはない。即ち、光センサが表示画像の視認の妨げになることはない。
【０００４】
発光ダイオード（ＬＥＤ：Ｌｉｇｈｔ  Ｅｍｉｔｔｉｎｇ  Ｄｉｏｄｅ）は、長寿命でかつ低消費電力であることから、近年では、液晶表示装置のバックライトの光源として使用されている。
また、バックライトを各々が１つ以上のＬＥＤを有する複数の発光部で構成し、入力画像データの輝度情報（輝度の統計量など）に応じて複数の発光部の発光量（発光強度）を個別に制御することによって表示画像のコントラストを高める制御方法が知られている。このような制御は、一般に“ローカルディミング制御”と呼ばれる。ローカルディミング制御では、明るい領域に対応する発光部の発光量を高い値に設定し、暗い領域に対応する発光部の発光量を低い値に設定することで、表示画像のコントラストが高められる。
【０００５】
しかしながら、ローカルディミング制御中にキャリブレーションを実行すると、上記一部の領域（光センサで検出される光を発する領域）からの光が発光部間の発光量の違いによって変化し、光センサの検出値の誤差が大きくなってしまうことがある。その結果、精度良くキャリブレーションを行うことができないことがある。以下、その詳細を説明する。
【０００６】
ローカルディミング制御では、表示画像のコントラストを向上させることができる一方、ハロー現象が生じることが知られている。
図１４に入力画像１４０１、表示画像１４０２、バックライトの発光パターン１４０３の一例を示す。
入力画像１４０１（黒背景に白い物体が存在する画像）が入力された場合、ローカルディミング制御によって、画面の領域のうち、黒背景が表示される領域に対応する発光部（ＬＥＤ＿Ｂｋ）の発光量が低い値に設定される。そして、白い物体が表示される領域に対応する発光部（ＬＥＤ＿Ｗ）の発光量が高い値に設定される。これにより、表示画像のコントラストを高めることができる。
しかしながら、ＬＥＤ＿ＢｋとＬＥＤ＿Ｗの間の発光量の差が大きいために、ＬＥＤ＿
Ｗからの光がＬＥＤ＿Ｂｋに対応する領域へ漏れ込み、表示画像の領域Ａでハロー現象が生じてしまう。ハロー現象は、明るい領域周辺の暗い領域が明るく表示される現象であり、図１４の例では、黒背景の黒輝度が明るく表示されるハロー現象が生じてしまう。即ち、領域Ａからの光は、周囲の領域に対応する発光部からの光によって変化してしまう。
そして、図１４の例では、ハロー現象が生じる領域Ａの一部を含む領域からの光が光センサで検出されるため、光センサの検出値の誤差が大きくなり、精度良くキャリブレーションを行うことができない。
【先行技術文献】
【特許文献】
【０００７】
【特許文献１】特開２００７−３４２０９号公報
【発明の概要】
【発明が解決しようとする課題】
【０００８】
本発明は、ローカルディミング制御が行われる画像表示装置において、表示特性のキャリブレーションを精度良く行うことのできる技術を提供することを目的とする。
【課題を解決するための手段】
【０００９】
本発明の画像表示装置は、
表示特性のキャリブレーションを実行可能な画像表示装置であって、
画面の領域を構成する複数の分割領域に対応する複数の発光部と、
入力画像データに基づく透過率で前記複数の発光部からの光を透過することにより、前記画面に画像を表示する表示パネルと、
前記分割領域毎に前記入力画像データの輝度情報を取得する第１取得手段と、
前記発光部毎に、前記第１取得手段で取得された各分割領域の輝度情報に基づいて発光量を決定し、各発光部を前記決定された発光量で発光させる第１制御手段と、
前記画面の所定の領域からの光の検出値をセンサから取得する第２取得手段と、
前記第１制御手段で決定された各発光部の発光量に基づいて、前記所定の領域からの光に、前記発光部間の発光量の違いによる変化が生じるか否かを判定する第１判定手段と、
前記センサの検出値を用いて前記キャリブレーションを行うキャリブレーション手段と、
前記第１判定手段で前記変化が生じると判定されているときに得られた検出値をそのまま用いたキャリブレーションが行われないように、前記センサ、前記第２取得手段、及び、前記キャリブレーション手段の少なくともいずれかを制御する第２制御手段と、
を有する
ことを特徴とする。
【００１０】
本発明の画像表示装置の制御方法は、
表示特性のキャリブレーションを実行可能な画像表示装置の制御方法であって、
前記画像表示装置は、
画面の領域を構成する複数の分割領域に対応する複数の発光部と、
入力画像データに基づく透過率で前記複数の発光部からの光を透過することにより、前記画面に画像を表示する表示パネルと、
を有し、
前記画像表示装置の制御方法は、
前記分割領域毎に前記入力画像データの輝度情報を取得する第１取得ステップと、
前記発光部毎に、前記第１取得ステップで取得された各分割領域の輝度情報に基づいて発光量を決定し、各発光部を前記決定された発光量で発光させる第１制御ステップと、
前記画面の所定の領域からの光の検出値をセンサから取得する第２取得ステップと、
前記第１制御ステップで決定された各発光部の発光量に基づいて、前記所定の領域か
らの光に、前記発光部間の発光量の違いによる変化が生じるか否かを判定する第１判定ステップと、
前記センサの検出値を用いて前記キャリブレーションを行うキャリブレーションステップと、
前記第１判定ステップで前記変化が生じると判定されているときに得られた検出値をそのまま用いたキャリブレーションが行われないように、前記センサ、前記第２取得ステップ、及び、前記キャリブレーションステップの少なくともいずれかを制御する第２制御ステップと、
を有することを特徴とする。
【発明の効果】
【００１１】
本発明によれば、ローカルディミング制御が行われる画像表示装置において、表示特性のキャリブレーションを精度良く行うことができる。
【図面の簡単な説明】
【００１２】
【図１】実施例１に係る画像表示装置の機能構成の一例を示すブロック図
【図２】実施例１に係るバックライトの構成の一例を示す図
【図３】実施例１に係る光センサの位置の一例を示す図
【図４】実施例１に係る光センサとパッチ画像の位置関係の一例を示す図
【図５】実施例１に係るハロー現象の説明図
【図６】実施例１に係るハロー現象の説明図
【図７】実施例１に係る判定エリア決定部の処理の説明図
【図８】実施例２に係る画像表示装置の機能構成の一例を示すブロック図
【図９】実施例２に係るバックライトの構成の一例を示す図
【図１０】実施例３に係るハロー現象の説明図
【図１１】実施例３に係るハロー現象の説明図
【図１２】実施例４に係る画像表示装置の機能構成の一例を示すブロック図
【図１３】実施例４に係る第１判定値と重みの対応関係の一例を示す図
【図１４】ハロー現象の説明図
【発明を実施するための形態】
【００１３】
＜実施例１＞
以下、本発明の実施例１に係る画像表示装置及びその制御方法について図面を用いて説明する。本実施例に係る画像表示装置は、表示特性のキャリブレーションを実行可能な画像表示装置である。キャリブレーションは、光センサの検出値を用いて行われる。光センサは、画面の所定の領域からの光を検出する。また、本実施例に係る画像表示装置は、画面の領域を構成する複数の分割領域に対応する複数の発光部からの光を透過することにより、画面に画像を表示する。そして、本実施例に係る画像表示装置は、各発光部の発光量（発光強度）を個別に制御するローカルディミング制御を実行可能な画像表示装置である。本実施例に係る画像表示装置は、ローカルディミング制御の実行中においても、表示特性のキャリブレーションを精度良く行うことができる。
【００１４】
図１は、本実施例に係る画像表示装置１００の機能構成の一例を示すブロック図である。
図１に示すように、画像表示装置１００は、バックライト１０１、表示部１０３、光センサ１０４、パッチ描画部１０５、輝度検出部１０６、発光パターン計算部１０７、センサ使用判定部１０８、判定エリア決定部１０９、キャリブレーション部１１０などを有する。
【００１５】
バックライト１０１は、画面の領域を構成する複数の分割領域に対応する複数の発光部
１０２を有する。各発光部１０２は、１つ以上の光源を有する。光源としては、発光ダイオード（ＬＥＤ：Ｌｉｇｈｔ  Ｅｍｉｔｔｉｎｇ  Ｄｉｏｄｅ）、冷陰極管、有機ＥＬなどを用いることができる。
表示部１０３は、入力画像データに基づく透過率でバックライト１０１（複数の発光部１０２）からの光を透過することにより、画面に画像を表示する表示パネルである。例えば、表示部１０３は、入力画像データに基づいて透過率が制御される複数の液晶素子を有する液晶パネルである。なお、表示部１０３は、液晶パネルに限らない。例えば、表示部１０３が有する表示素子は、透過率を制御することのできる素子であればよく、液晶素子に限らない。
光センサ１０４は、画面の所定の領域（画面の一部の領域；測光領域）からの光を検出する。
【００１６】
パッチ描画部１０５は、測光領域にキャリブレーション用画像が表示され、残りの領域に入力画像データに応じた画像（入力画像）が表示されるように入力画像データを補正することにより、表示用画像データを生成する。本実施例では、キャリブレーション用画像がパッチ画像であり、パッチ画像のデータ（パッチ画像データ）が予め記憶されている。そして、パッチ描画部１０５は、測光領域にパッチ画像が表示され、残りの領域に入力画像が表示されるように入力画像データにパッチ画像データを合成することにより、表示用画像データを生成する。表示用画像データは、表示部１０３に出力される。そして、表示部１０３では、表示用画像データに基づく透過率でバックライト１０１からの光が透過され、画面に画像が表示される。なお、キャリブレーション用画像は、どのような画像であってもよく、パッチ画像に限らない。また、入力画像データを表示用画像データとして用いてもよく、その場合には、パッチ描画部１０５は不要となる。
【００１７】
輝度検出部１０６は、分割領域毎に入力画像データの輝度情報を取得（検出）する。輝度情報は、例えば、輝度の統計量であり、具体的には、最大輝度値、最小輝度値、平均輝度値、最頻輝度値、中間輝度値、輝度ヒストグラムなどである。なお、本実施例では入力画像データから輝度情報が検出されるものとするが、輝度情報は外部から取得されてもよい。例えば、入力画像データにメタデータとして輝度情報が付加されている場合には、当該輝度情報を抽出すればよい。
発光パターン計算部１０７は、発光部毎に、輝度検出部１０６で取得された各分割領域の輝度情報に基づいて発光量を決定し、各発光部を上記決定された発光量で発光させる（第１制御処理；発光制御処理）。なお、本実施例では、発光部１０２毎に、その発光部１０２に対応する分割領域の輝度情報に基づいて、当該発光部１０２の発光量が決定されるものとするが、発光量の決定方法はこれに限らない。例えば、１つの発光部１０２の発光量は、複数の分割領域の輝度情報（例えば、対応する分割領域と、その周辺の分割領域との輝度情報）を用いて決定されてもよい。
【００１８】
センサ使用判定部１０８は、発光パターン計算部１０７で決定された各発光部１０２の発光量に基づいて、測光領域からの光に、発光部間の発光量の違いによる変化が生じるか否かを判定する（第１判定処理；変化判定処理）。具体的には、測光領域から所定の範囲内に存在する分割領域に対応する発光量に基づいて、測光領域からの光に上記変化が生じるか否かが判定される。そして、センサ使用判定部１０８は、変化判定処理で変化が生じると判定されているときに光の検出が行われないように、光センサ１０４を制御する（第２制御処理；センサ制御処理）。なお、変化判定処理とセンサ制御処理は互いに異なる機能部によって行われてもよい。
【００１９】
判定エリア決定部１０９は、変化判定処理の対象の分割領域（変化判定処理で発光強度が使用される発光部に対応する分割領域）を決定する。本実施例では、判定エリア決定部１０９では、測光領域から所定の範囲内に存在する分割領域が、変化判定処理の対象の分
割領域として決定される。センサ使用判定部１０８は、判定エリア決定部１０９から分割領域の決定結果を取得し、取得した決定結果に応じた発光量を使用して変化判定処理を行う。なお、判定エリア決定部１０９では、変化判定処理の対象の分割領域に対応する発光部が決定されてもよい。また、変化判定処理の対象の分割領域が予め決まっている場合（例えば、光センサ１０４の位置（即ち、測光領域）が変更不可能である場合）には、画像表示装置１００は判定エリア決定部１０９を有していなくてもよい。
【００２０】
キャリブレーション部１１０は、光センサ１０４から検出値を取得し（第２取得処理）、光センサ１０４の検出値を用いて表示特性のキャリブレーションを行う。但し、本実施例では、変化判定処理で変化が生じると判定されているときに光の検出が行われないように光センサ１０４が制御される。そのため、キャリブレーション部１１０では、変化判定処理で変化が生じると判定されているときに得られた検出値が使用されずにキャリブレーションが行われる。なお、本実施例では、変化判定処理で変化が生じると判定されているときに光の検出が行われないように光センサ１０４が制御されるものとしたが、そのような制御は行われなくてもよい。つまり、光センサ１０４は、光の検出を常に（定期的に）行ってもよい。そして、画像表示装置が、変化判定処理で変化が生じると判定されているときに得られた検出値がセンサから取得されないように、キャリブレーション部１１０を制御する制御部を有していてもよい。また、画像表示装置が、変化判定処理で変化が生じると判定されているときに得られた検出値を使用せずにキャリブレーションが行われるように、キャリブレーション部１１０を制御する制御部を有していてもよい。画像表示装置が、変化判定処理で変化が生じると判定されているときにキャリブレーションが強制終了されるようにキャリブレーション部１１０を制御する制御部を有していてもよい。変化判定処理で変化が生じると判定されているときに得られた検出値をそのまま用いたキャリブレーションが行われないように、光の検出、検出値の取得、検出値の使用、及び、キャリブレーションの実行の少なくともいずれかが制御されればよい。なお、光センサから検出値を取得する処理とキャリブレーションとは、互いに異なる機能部によって行われてもよい。
【００２１】
バックライト１０１の構成の具体例について説明する。
バックライト１０１の構成の一例を図２に示す。図２は、画面の領域が水平方向１０個×垂直方向８個の計８０個の分割領域に分割されており、バックライト１０１が、８０個の分割領域に対応する８０個の発光部１０２（水平方向１０個×垂直方向８個の計８０個の発光部１０２）を有する場合の例である。なお、分割領域（及び発光部）の数は８０個より多くても少なくてもよい。例えば、水平方向１個×垂直方向２０個の計２０個の分割領域が設定されてもよい。分割領域の数は任意であり、例えば、用途に応じた適切な数の分割領域が設定される。
【００２２】
光センサ１０４の位置とパッチ画像の表示位置との関係の具体例について説明する。
図３は、光センサ１０４の位置の一例を示す。図３の例では、光センサ１０４は、検出面が測光領域と対向するように、画面上に配置されている。
図４は、光センサ１０４の位置と、パッチ画像の表示位置との位置関係の一例を示す。図４の実線で示された領域４０１は、光センサ１０４が設けられた領域である。図４の破線で示された領域４０２は、パッチ画像の表示領域であり、測光領域（光センサで検出される光を発する領域）である。このように、パッチ画像は測光領域に表示される（残りの領域には入力画像データが表示される）。なお、図４には、パッチ画像の表示領域が測光領域と等しい場合の例を示したが、パッチ画像の表示領域は測光領域より広くてもよい。
光センサ１０４では、センサ使用判定部１０８の変化判定処理において変化が生じないと判定されているときにのみ、測光領域からの光（具体的にはパッチ画像の輝度や色）が検出される。
【００２３】
発光パターン計算部１０７の処理の具体例について説明する。ここでは、輝度情報として平均輝度値（Ａｖｅｒａｇｅ  Ｐｉｃｔｕｒｅ  Ｌｅｖｅｌ；ＡＰＬ）が取得された場合の例を説明する。
例えば、発光パターン計算部１０７は、取得されたＡＰＬが低い分割領域を“入力画像データの輝度が低い部分に対応する分割領域”と判断し、当該分割領域に対応する発光部１０２を低い発光量で発光させる処理を行う。そして、発光パターン計算部１０７は、取得されたＡＰＬが高い分割領域を“入力画像データの輝度が高い部分に対応する分割領域”と判断し、当該分割領域に対応する発光部１０２を高い発光量で発光させる処理を行う。これにより、表示部１０３に表示される画像のコントラストを高めることができる。なお、上述した処理は、従来のローカルディミング制御でよく行われる処理であるため、その詳細な説明（発光量の決定方法の詳細な説明など）は省略する。なお、発光パターン計算部１０７の処理は、ＡＰＬに基づいて発光量を制御する処理に限るものではなく、発光パターン計算部１０７の処理として、従来のローカルディミング制御で行われる処理を適用することができる。
【００２４】
上述したローカルディミング制御を行うと、発光部間の発光量の違いによる表示輝度や表示色（画面上の輝度や色）の変化が生じることがある。このような現象は、ハロー現象と呼ばれ、発光部間の発光量の差が大きいときに顕著に現れる。ローカルディミング制御によるハロー現象の発生について、図５，６を用いて説明する。図５は、ハロー現象が顕著に現れる場合の例を示し、図６はハロー現象が顕著に現れない例を示す。図５の符号５０１と、図６の符号６０１とは、入力画像（入力画像データによって表される画像）を示す。図５の符号５０２と、図６の符号６０２とは、表示画像（画面に表示された画像）を示す。図５の符号５０３と、図６の符号６０３とは、バックライト１０１の発光パターン（各発光部１０２の発光量）を示す。
【００２５】
まず、ハロー現象が顕著に現れる例について図５を用いて説明する。
入力画像５０１は、黒背景に白い物体が存在する画像であり、黒背景の領域を多く含む分割領域ではＡＰＬが低い値となり、白い物体の領域を多く含む分割領域ではＡＰＬは高い値となる。
上述したように、発光パターン計算部１０７では、取得されたＡＰＬが低い分割領域に対応する発光部１０２を低い発光量で発光させ、取得されたＡＰＬが高い分割領域に対応する発光部１０２を高い発光量で発光させる処理が行われる。そのため、図５の発光パターン５０３に示すように、黒背景の領域を多く含む分割領域に対応する発光部１０２＿Ｂｋ５を低い発光量で発光させ、白い物体の領域を多く含む分割領域に対応する発光部１０２＿Ｗ５を高い発光量で発光させる処理が行われる。
上述した処理により、表示画像のコントラストを高めることができる。
しかし、発光部１０２＿Ｂｋ５と発光部１０２＿Ｗ５（発光部１０２＿Ｂｋ５に対応する分割領域の２つ下の分割領域に対応する発光部）の間の発光量の差が大きい。そのため、発光部１０２＿Ｗ５からの光が発光部１０２＿Ｂｋ５に対応する分割領域へ漏れ込み、表示画像５０２の領域Ａでハロー現象が生じてしまう。即ち、領域Ａからの光（領域Ａの輝度や色）が、周囲の領域に対応する発光部からの光によって変化してしまう。具体的には、黒背景の領域のうちの領域Ａが、黒背景の領域のうちの他の領域に比べ明るく表示されてしまう。
さらに、図５に示すようにハロー現象が測光領域で生じる場合には、光センサ１０４において、ハロー現象によって変化した光（黒浮きなどが発生している状態での光）が検出されてしまう。即ち、ハロー現象が測光領域で生じる場合には、光センサの検出値の誤差が大きくなってしまう。そして、そのような検出値を用いてしまうと、精度良くキャリブレーションを行うことができない。
【００２６】
次に、ハロー現象が顕著に現れない場合の例について図６を用いて説明する。
入力画像６０１は、画像全体が白色の画像であり、各分割領域においてＡＰＬは高い値となる。そのため、図６の発光パターン６０３に示すように、発光パターン計算部１０７では、各発光部を高い発光量で発光させる処理が行われる。それにより、画面内における輝度が均一の表示画像６０２が表示される。
この場合、発光部間の発光量の差（例えば、発光部１０２＿Ｗ６ａと発光部１０２＿Ｗ６ｂ（発光部１０２＿Ｗ６ａに対応する分割領域の２つ下の分割領域に対応する発光部）との間の発光量の差が小さい。そのため、ハロー現象は顕著に現れない。図６の例では、発光部間の発光量の差が０であるため、ハロー現象は発生しない。勿論、測光領域においても、ハロー現象は発生しない。そのため、このような場合には、光センサで誤差の小さい検出値を得ることができ、精度良くキャリブレーションを行うことができる。
【００２７】
そこで、本実施例では、顕著なハロー現象が測光領域で生じるときの検出値をキャリブレーションに使用せず、顕著なハロー現象が測光領域で生じないときの検出値のみをキャリブレーションに使用する。それにより、ローカルディミング制御が行われる画像表示装置において、表示特性のキャリブレーションを精度良く行うことができる。具体的には、顕著なハロー現象が測光領域で生じるときには光の検出が行われず、顕著なハロー現象が測光領域で生じないときにのみ光の検出が行われるように、光センサ１０４が制御される。それにより、誤差の小さい検出値のみを得ることができ、キャリブレーションを精度良く行うことができる。
【００２８】
このような光センサ１０４の制御は、上述したように、センサ使用判定部１０８と判定エリア決定部１０９により実現される。センサ使用判定部１０８と判定エリア決定部１０９の処理の具体例について図７を用いて説明する。
【００２９】
上述したように、判定エリア決定部１０９は、測光領域から所定の範囲内に存在する分割領域を、変化判定処理の対象の分割領域として決定（選択）する。発光部から測光領域までの距離が短い場合、その発光部から測光領域へ漏れる光は多く、そのような光によって測光領域に顕著なハロー現象が生じる可能性が高い。一方、発光部から測光領域までの距離が長い場合、その発光部から測光領域へ漏れる光は少なく、そのような光によって測光領域に顕著なハロー現象が生じる可能性は低い。そこで、本実施例では、測光領域及びその周辺の分割領域を変化判定処理の対象の分割領域として選択する。具体的には、測光領域を含む分割領域が、変化判定処理の対象の分割領域として選択される。また、図７の破線で示すように、測光領域を含む分割領域から水平方向に１つの分割領域分の分割領域と、及び、測光領域を含む分割領域から垂直方向に２つの分割領域分の分割領域とが、変化判定処理の対象の分割領域として選択される。図７の破線は、判定エリア決定部１０９で決定（選択）された分割領域に対応する発光部１０２を示す。図７は、右から２番目、上から１番目の分割領域が測光領域を含む場合の例である。そのため、図７の例では、水平方向３個×垂直方向３個の計９個の分割領域が選択される。
なお、変化判定処理の対象の分割領域の選択方法は上記方法に限らない。例えば、測光領域を含む分割領域と、その分割領域に隣接する分割領域とが、変化判定処理の対象の分割領域として選択されてもよい。即ち、１つの分割領域分の大きさを上記所定の範囲の大きさとしてもよい。上記方法のように、上記所定の範囲の大きさは、水平方向と垂直方向とで異なっていてもよい。
なお、測定領域を含む分割領域は、少なくとも一部に測定領域を含む分割領域であってもよいし、分割領域に含まれる測定領域のサイズの、当該分割領域のサイズに対する割合が所定の割合以上の分割領域であってもよい。
【００３０】
センサ使用判定部１０８は、第１判定値Ｌｕｍ＿Ｄｉｆｆを算出する。第１判定値は、判定エリア決定部１０９で決定（選択）された分割領域に対応する発光部の発光量の最大値Ｌ＿ｍａｘから最小値Ｌ＿ｍｉｎを減算した差分値の、最大値Ｌ＿ｍａｘに対する割合
である。図７の例の場合、破線で示された９個の発光部の発光量の最大値Ｌ＿ｍａｘから最小値Ｌ＿ｍｉｎを減算した差分値の、最大値Ｌ＿ｍａｘに対する割合が、第１判定値Ｌｕｍ＿Ｄｉｆｆとして算出される。そして、センサ使用判定部１０８は、第１判定値Ｌｕｍ＿Ｄｉｆｆを閾値Ｌ＿Ｔｈと比較する。具体的には、センサ使用判定部１０８は、式１に示すように、第１判定値Ｌｕｍ＿Ｄｉｆｆが閾値Ｌ＿Ｔｈ以下か否かを判定する。そして、第１判定値Ｌｕｍ＿Ｄｉｆｆが閾値Ｌ＿Ｔｈより大きい場合に、センサ使用判定部１０８は、光の検出が不可能であると判断する（光を検出してはならないと判断する）。また、第１判定値Ｌｕｍ＿Ｄｉｆｆが閾値Ｌ＿Ｔｈ以下である場合に、センサ使用判定部１０８は、光の検出が可能である（光を検出してもよい）と判断し、その判断結果を示すフラグＦ１を光センサ１０４に出力する。これは、第１判定値Ｌｕｍ＿Ｄｉｆｆが閾値Ｌ＿Ｔｈより大きい場合には、測定領域に顕著なハロー現象が生じる可能性が高く、第１判定値Ｌｕｍ＿Ｄｉｆｆが閾値Ｌ＿Ｔｈ以下である場合には、測定領域に顕著なハロー現象が生じる可能性が低いからである。
Ｌｕｍ＿Ｄｉｆｆ＝（Ｌ＿ｍａｘ−Ｌ＿ｍｉｎ）÷Ｌ＿ｍａｘ≦Ｌ＿Ｔｈ
・・・（式１）
光センサ１０４では、フラグＦ１を受信しているときに限り、測光領域からの光（パッチ画像の輝度や色）の検出が行われる。
なお、センサ使用判定部１０８は、第１判定値Ｌｕｍ＿Ｄｉｆｆが閾値Ｌ＿Ｔｈ以下である場合には何も出力せず、第１判定値Ｌｕｍ＿Ｄｉｆｆが閾値Ｌ＿Ｔｈより大きいときに、光の検出が不可能であることを示す情報を出力してもよい。センサ使用判定部１０８は、第１判定値Ｌｕｍ＿Ｄｉｆｆが閾値Ｌ＿Ｔｈ以下である場合に光の検出が可能であることを示す情報を出力し、第１判定値Ｌｕｍ＿Ｄｉｆｆが閾値Ｌ＿Ｔｈより大きい場合に光の検出が不可能であることを示す情報を出力してもよい。
なお、閾値Ｌ＿Ｔｈは、どのような値であってもよい。閾値Ｌ＿Ｔｈは、例えば、キャリブレーションの精度やキャリブレーションで使用される検出値の取得頻度などに基づいて設定される。閾値Ｌ＿Ｔｈの値が小さいほど、キャリブレーションで使用される検出値の誤差を小さくすることができ、キャリブレーションの精度を高めることができる。また、閾値Ｌ＿Ｔｈの値が大きいほど、キャリブレーションで使用される検出値を取得され易くすることができる。具体的には、閾値Ｌ＿Ｔｈの値が大きいほど、光センサ１０４による光の検出頻度を高めることができる。
なお、閾値Ｌ＿Ｔｈは固定値であってもよいし、変更可能な値であってもよい。閾値Ｌ＿Ｔｈは、例えば、ユーザによって設定されてもよいし、入力画像データの種類や輝度に基づいて設定されてもよい。
【００３１】
以上述べたように、本実施例によれば、変化判定処理で変化が生じる（測定領域に顕著なハロー現象が生じる）と判定されているときに得られた光センサの検出値を使用せずにキャリブレーションが行われる。具体的には、変化判定処理で変化が生じると判定されているときに光の検出が行われないように光センサが制御される。そのため、変化判定処理で変化が生じると判定されているときには、光センサの検出値は得られない。そのため、変化判定処理で変化が生じない（測定領域に顕著なハロー現象が生じない）と判定されているときに得られた光センサの検出値のみを使用して、高精度にキャリブレーションを行うことができる。
【００３２】
なお、表示する画像データが光センサによる光の検出期間中に変化すると、光センサの検出値の誤差が増してしまう。また、入力画像データが動画像の画像データある場合には、入力画像データが静止画の画像データある場合に比べ、表示する画像データが光センサによる光の検出期間中に変化しやすい。そこで、画像表示装置に、入力画像データが動画の画像データであるか静止画の画像データであるかを判定する第２判定処理（画像判定処
理）を行う画像判定部をさらに設けてもよい。そして、画像判定部で入力画像データが動画の画像データであると判定されているときに得られた検出値を使用せずにキャリブレーションが行われるように、キャリブレーション部１１０が制御されてもよい。画像判定部で入力画像データが動画の画像データであると判定されているときに得られた検出値がセンサから取得されないように、キャリブレーション部１１０が制御されてもよい。また、画像判定部で入力画像データが動画の画像データであると判定されているときにキャリブレーションが行われないように、キャリブレーション部１１０が制御されてもよい。また、センサ使用判定部１０８が、画像判定部で入力画像データが動画の画像データであると判定されているときに光の検出が行われないように、光センサを制御してもよい。それらの構成を採用すれば、表示する画像データが光センサによる光の検出期間中に変化することによる検出値の誤差の増大を抑制することができる。
また、本実施例では、光センサ１０４が測光領域と対向するように画面上に配置されている構成を例として説明したが、これに限らない。光センサ１０４は、画像表示装置１００とは異なる装置であってもよい。一般的な外付けのキャリブレーション用の光センサを用いた場合や、画像表示装置のフロントベゼル内に光センサを配置して、画面の見えない部分で光の検出を行う場合においても、本発明は適用できる。
【００３３】
＜実施例２＞
以下、本発明の実施例２に係る画像表示装置及びその制御方法について図面を用いて説明する。
実施例１では、判定エリア決定部１０９において、測光領域から所定の範囲内に存在する分割領域が、変化判定処理の対象の分割領域として決定（選択）された。そして、判定エリア決定部１０９で選択された分割領域に対応する発光量に基づいて、測光領域からの光に発光部間の発光量の違いによる変化が生じるか否かが判定された。
しかし、画像表示装置のコストを削減するためなどの理由によって発光部１０２の個数が削減されている場合には、各発光部１０２から測光領域へ漏れる光は多く、測定領域にハロー現象が発生しやすい。
そこで、本実施例では、発光パターン計算部１０７で決定された全ての発光部１０２の発光量に基づいて、測光領域からの光に上記変化が生じるか否かを判定する例を説明する。
【００３４】
図８は、本実施例に係る画像表示装置２００の機能構成の一例を示すブロック図である。図８に示すように、画像表示装置２００は、実施例１に係る画像表示装置１００から判定エリア決定部１０９を除いた構成を有する。なお、実施例１と同じ機能部には同じ符号を付し、その説明が省略する。
本実施例では、バックライト２０１は、図９に示すように水平方向４個×垂直方向３個の計１２個の発光部１０２を有する。
センサ使用判定部２０８は、図９の破線で示す発光部１０２、即ち全ての発光部１０２の発光量に基づいて、測光領域からの光に変化が生じるか否かを判定する。具体的には、第１判定値として、発光パターン計算部１０７で決定された発光量の最大値から最小値を減算した差分値の、最大値に対する割合が算出される。他の機能は実施例１と同様である。
【００３５】
以上述べたように、本実施例によれば、全ての発光部の発光量に基づいて、測光領域からの光に変化が生じるか否かが判定される。それにより、発光部の数が少ない場合に、測光領域からの光に変化が生じるか否かを高精度に判定することができる。そして、測光領域からの光の変化が生じない（測定領域に顕著なハロー現象が生じない）と判定されているときに得られた光センサの検出値のみを使用して、高精度にキャリブレーションを行うことができる。
【００３６】
＜実施例３＞
以下、本発明の実施例３に係る画像表示装置及びその制御方法について図面を用いて説明する。実施例１，２では、第１判定値（決定された発光量の最大値から最小値を減算した差分値の、最大値に対する割合）に基づいて、測光領域からの光に、発光部間の発光量の違いによる変化が生じるか否かを判定した。本実施例では、実施例１，２と異なる方法で測定領域からの光に変化が生じるか否かを判定する例を説明する。
本実施例に係る画像表示装置の機能構成は実施例１と同じである。但し、センサ使用判定部１０８の処理（具体的には変化判定処理）が実施例１と異なる。なお、他の処理は実施例１と同じであるため、その説明は省略する。
【００３７】
ローカルディミング制御によるハロー現象の発生について、図１０，１１を用いて説明する。図１０は、ハロー現象が顕著に現れる場合の例を示し、図１１はハロー現象が顕著に現れない例を示す。図１０の符号１００１と、図１１の符号１１０１とは、入力画像（入力画像データによって表される画像）を示す。図１０の符号１００２と、図１１の符号１１０２とは、表示画像（画面に表示された画像）を示す。図１０の符号１００３と、図１１の符号１１０３とは、バックライト１０１の発光パターン（各発光部１０２の発光量）を示す。
【００３８】
まず、ハロー現象が顕著に現れる例について図１０を用いて説明する。
入力画像１００１は、黒背景に白い物体が存在する画像であり、黒背景の領域を多く含む分割領域ではＡＰＬが低い値となり、白い物体の領域を多く含む分割領域ではＡＰＬは高い値となる。
実施例１で述べたように、発光パターン計算部１０７では、取得されたＡＰＬが低い分割領域に対応する発光部１０２を低い発光量で発光させ、取得されたＡＰＬが高い分割領域に対応する発光部１０２を高い発光量で発光させる処理が行われる。そのため、図１０の発光パターン１００３に示すように、黒背景の領域を多く含む分割領域に対応する発光部１０２＿Ｂｋ１０を低い発光量で発光させ、白い物体の領域を多く含む分割領域に対応する発光部１０２＿Ｗ１０を高い発光量で発光させる処理が行われる。
上述した処理により、表示画像のコントラストを高めることができる。
しかし、発光部１０２＿Ｂｋ１０と発光部１０２＿Ｗ１０（発光部１０２＿Ｂｋ１０に対応する分割領域の下に隣接する分割領域に対応する発光部）の間の発光量の差が大きい。そのため、発光部１０２＿Ｗ１０からの光が発光部１０２＿Ｂｋ１０に対応する分割領域へ漏れ込み、表示画像１００２の領域Ａでハロー現象が生じてしまう。即ち、領域Ａからの光（領域Ａの輝度や色）が、周囲の領域に対応する発光部からの光によって変化してしまう。具体的には、黒背景の領域のうちの領域Ａが、黒背景の領域のうちの他の領域に比べ明るく表示されてしまう。
さらに、図１０に示すようにハロー現象が測光領域で生じる場合には、光センサ１０４において、ハロー現象によって変化した光（黒浮きなどが発生している状態での光）が検出されてしまう。即ち、ハロー現象が測光領域で生じる場合には、光センサの検出値の誤差が大きくなってしまう。そして、そのような検出値を用いてしまうと、精度良くキャリブレーションを行うことができない。
【００３９】
次に、ハロー現象が顕著に現れない場合の例について図１１を用いて説明する。
入力画像１１０１は、画像全体が白色の画像であり、各分割領域においてＡＰＬは高い値となる。そのため、図１１の発光パターン１１０３に示すように、発光パターン計算部１０７では、各発光部を高い発光量で発光させる処理が行われる。それにより、画面内における輝度が均一の表示画像１１０２が表示される。
この場合、発光部間の発光量の差（例えば、発光部１０２＿Ｗ１１ａと発光部１０２＿Ｗ１１ｂ（発光部１０２＿Ｗ１１ａに対応する分割領域の下に隣接する分割領域に対応する発光部）との間の発光量の差が小さい。そのため、ハロー現象は顕著に現れない。図１
１の例では、発光部間の発光量の差が０であるため、ハロー現象は発生しない。勿論、測光領域においても、ハロー現象は発生しない。そのため、このような場合には、光センサで誤差の小さい検出値を得ることができ、精度良くキャリブレーションを行うことができる。
【００４０】
このように、顕著なハロー現象は、互いに隣接する分割領域に対応する発光部間の発光量の差が大きい場合に生じやすい。なお、実施例１（図５）で述べたように、互いに離れた分割領域に対応する発光部間の発光量の差が大きい場合にも、顕著なハロー現象が生じることがある。しかし、発光部からの光は当該発光部から離れるほど減衰するため、離れた分割領域に対応する発光部からの光によって顕著なハロー現象が発生する可能性は、隣接する分割領域に対応する発光部からの光によって顕著なハロー現象が発生する可能性に比べて低い。
そこで、本実施例では、分割領域に対応する発光部の発光量と、当該分割領域に隣接する分割領域に対応する発光部の発光量との間の差分値に基づいて、測光領域で顕著なハロー現象が生じるか否かを判定する。即ち、分割領域に対応する発光部の発光量と、当該分割領域に隣接する分割領域に対応する発光部の発光量との間の差分値に基づいて、測光領域からの光に、発光部間の発光量の違いによる変化が生じるか否かを判定する。具体的には、センサ使用判定部１０８は、判定エリア決定部１０９で決定（選択）された分割領域（測光領域から所定の範囲内に存在する分割領域）に対応する発光部の発光量と、当該分割領域に隣接する分割領域に対応する発光部の発光量との間の差分値を算出する。そして、センサ使用判定部１０８は、算出した差分値の最大値である第２判定値Ｌｕｍ＿Ｄｉｆｆ＿２を閾値Ｌ＿Ｔｈ＿２と比較する。具体的には、センサ使用判定部１０８は、第２判定値Ｌｕｍ＿Ｄｉｆｆ＿２が閾値Ｌ＿Ｔｈ＿２以下か否かを判定する。そして、第２判定値Ｌｕｍ＿Ｄｉｆｆ＿２が閾値Ｌ＿Ｔｈ＿２より大きい場合に、センサ使用判定部１０８は、光の検出が不可能であると判断する（光を検出してはならないと判断する）。また、第２判定値Ｌｕｍ＿Ｄｉｆｆ＿２が閾値Ｌ＿Ｔｈ＿２以下である場合に、センサ使用判定部１０８は、光の検出が可能である（光を検出してもよい）と判断し、その判断結果を示すフラグＦ１を光センサ１０４に出力する。これは、第２判定値Ｌｕｍ＿Ｄｉｆｆ＿２が閾値Ｌ＿Ｔｈ＿２より大きい場合には、測定領域に顕著なハロー現象が生じる可能性が高く、第２判定値Ｌｕｍ＿Ｄｉｆｆ＿２が閾値Ｌ＿Ｔｈ＿２以下である場合には、測定領域に顕著なハロー現象が生じる可能性が低いからである。
【００４１】
他の処理は、実施例１と同じである。
【００４２】
以上述べたように、本実施例によれば、互いに隣接する分割領域に対応する発光部間の発光量の差に基づいて、測光領域で顕著なハロー現象が生じるか否かを判定することができる。そして、測光領域からの光の変化が生じない（測定領域に顕著なハロー現象が生じない）と判定されているときに得られた光センサの検出値のみを使用して、高精度にキャリブレーションを行うことができる。
【００４３】
なお、本実施例の判定方法を実施例２に適用してもよい。即ち、全ての分割領域について、分割領域に対応する発光部の発光量と、当該分割領域に隣接する分割領域に対応する発光部の発光量との間の差分値を算出し、算出した差分値の最大値を第２判定値として用いてもよい。
なお、ハロー現象は明るい領域から暗い領域へ発光部の光が漏れることにより発生する。そのため、測光領域を含む分割領域に対応する発光部の発光量を、当該分割領域に隣接する分割領域に対応する発光部の発光量から減算した差分値の最大値を第２判定値として用いてもよい。
なお、本実施例の判定と、実施例１，２の判定との両方が行われてもよい。そして、第１判定値が閾値より大きいという条件と、第２判定値が閾値より大きいという条件との少
なくとも一方の条件が満たされる場合に、測光領域で顕著なハロー現象が生じると判定されてもよい。
【００４４】
＜実施例４＞
以下、本発明の実施例４に係る画像表示装置及びその制御方法について図面を用いて説明する。実施例１〜３では、変化判定処理で変化が生じる（測定領域に顕著なハロー現象が生じる）と判定されているときに得られた検出値を使用しない例を説明した。本実施例では、光センサが変化判定処理の判定結果に拘わらずに光の検出を行い、変化判定処理で変化が生じると判定されているときに得られた検出値をそのまま使用せず、間接的に使用する例を説明する。
【００４５】
図１２は、本実施例に係る画像表示装置４００の機能構成の一例を示すブロック図である。
図１２に示すように、画像表示装置４００は、実施例１に係る画像表示装置１００に重み設定部４１１と合成値計算部４１２を加えた構成を有する。なお、実施例１と同じ機能部には同じ符号を付し、その説明が省略する。
本実施例では、明るさが互いに異なる３つのキャリブレーション用画像が同時または順番に表示される。そして、光センサ１０４では、３つのキャリブレーション用画像に対応する３つの検出値が取得される。
【００４６】
センサ使用判定部４０８は、発光パターン計算部１０７で決定された各発光部の発光量に基づいて、変化（測光領域からの光の、発光部間の発光量の違いによる変化）の生じ易さを表す判定値を算出する。そして、センサ使用判定部４０８は、算出した判定値を閾値と比較することにより上記変化が生じるか否か（測定領域に顕著なハロー現象が生じるか否か）を判定する（変化判定処理）。具体的には、センサ使用判定部４０８は、実施例１と同様に、第１判定値を算出し、第１判定値を閾値と比較することにより上記変化が生じるか否かを判定する。センサ使用判定部４０８は、判定値（第１判定値）と、変化判定処理の判定結果（測定領域に顕著なハロー現象が生じるか否か）とを出力する。
なお、判定値は第２判定値であってもよい。
【００４７】
重み設定部４１１は、合成値計算部４１２で使用する重み（検出値の重み）を設定する。本実施例では、図１３に示すように、第１判定値Ｌｕｍ＿Ｄｉｆｆと重みＲｅｌとの対応関係が予め定められており、センサ使用判定部４０８から出力された第１判定値に応じた重みが設定される。具体的には、重み設定部４１１には、上記対応関係を表すテーブル（または関数）が記憶されており、重み設定部４１１は、センサ使用判定部４０８から出力された第１判定値に応じた重みを、上記テーブルを用いて判断し、設定する。
なお、重みは、第１判定値の値（変化判定処理の判定結果）に拘わらず設定されてもよいし、そうでなくてもよい。例えば、第１判定値が閾値Ｌ＿Ｔｈより大きい場合（変化判定処理で変化が生じると判定されている場合）にのみ設定されてもよい。その場合には、閾値より大きい第１判定値と、重みとの対応関係が予め定められていればよい。
【００４８】
合成値計算部４１２は、重み設定部４１１で設定された重みを用いて、中間の明るさのキャリブレーション用画像に対応する検出値と、残り２つのキャリブレーション用画像間の検出値の差分値とを合成することにより、合成値を算出する。合成値は、ハロー現象による誤差が低減された値である。合成値計算部４１２は、変化判定処理で変化が生じないと判定されているときに、光センサ１０４から入力された検出値をキャリブレーション部４１０に出力する。また、合成値計算部４１２は、変化判定処理で変化が生じると判定されているときに、算出された合成値をキャリブレーション部４１０に出力する。
なお、合成値の算出は、変化判定処理の判定結果に拘わらずに行われてもよいし、変化判定処理で変化が生じると判定されているときにのみ行われてもよい。
なお、閾値以下の第１判定値に対しては、合成値が検出値と一致するように重みが定められており、変化判定処理の判定結果に拘わらずに合成値の算出が行われてもよい。その場合には、合成値計算部４１２は、変化判定処理の判定結果に拘わらずに合成値を出力してもよい。それにより、変化判定処理で変化が生じないと判定されているときに検出値が出力され、変化判定処理で変化が生じると判定されているときに合成値が出力されることとなる。
【００４９】
キャリブレーション部４１０は、合成値計算部４１２から出力された値（検出値または合成値）を用いてキャリブレーションを行う。本実施例では、変化判定処理で変化が生じないと判定されているときに、光センサ１０４の検出値をそのまま用いてキャリブレーションが行われる。そして、変化判定処理で変化が生じると判定されているときに、合成値計算部４１２で算出された合成値を用いてキャリブレーションが行われる。
なお、合成値計算部４１２は、変化判定処理の判定結果に拘わらずに合成値の算出を行い、合成値と検出値の両方を出力してもよい。そして、キャリブレーション部４１０は、変化判定処理の判定結果に応じて、合成値と検出値のいずれかをキャリブレーションに使用する値として選択してもよい。
なお、キャリブレーションに合成値と検出値のどちらを使用するかは、キャリブレーション部４１０や合成値計算部４１２以外の機能部によって決定されてもよい。例えば、画像表示装置が、変化判定処理の結果に応じた値（検出値または合成値）を用いたキャリブレーションが行われるようにキャリブレーション部４１０を制御する制御部を有していてもよい。
【００５０】
以下、合成値の算出方法の具体例について説明する。なお、以下では、光センサ１０４でグレー階調の輝度値が検出される例について説明する。具体的には、階調値（輝度値）ｎ−１６，ｎ，ｎ＋１６のキャリブレーション用画像の検出値Ｌｕｍ（ｎ−１６），Ｌｕｍ（ｎ），Ｌｕｍ（ｎ＋１６）が検出される例について説明する。ｎは８ビットの階調値である。
【００５１】
まず、重み設定部４１１が、予め記憶されたテーブル（テーブルデータ）を用いて、センサ使用判定部４０８から出力された第１判定値Ｌｕｍ＿Ｄｉｆｆに対応する重みＲｅｌ（ｎ）を判断し、設定する。重みＲｅｌ（ｎ）は、検出値Ｌｕｍ（ｎ）に対する重みである。
次に、合成値計算部４１２が、以下の式２を用いて、重みＲｅｌ（ｎ）と、検出値Ｌｕｍ（ｎ−１６），Ｌｕｍ（ｎ），Ｌｕｍ（ｎ＋１６）とから、合成値Ｃａｌ＿Ｌｕｍ（ｎ）を算出する。合成値Ｃａｌ＿Ｌｕｍ（ｎ）は、階調値ｎのキャリブレーション用画像を表示したときの検出値に相当する値であり、ハロー現象による誤差が低減された値である。
Ｃａｌ＿Ｌｕｍ（ｎ）
＝Ｌｕｍ（ｎ）×Ｒｅｌ（ｎ）
＋（１．０−Ｒｅｌ（ｎ））×（Ｌｕｍ（ｎ＋１６）−Ｌｕｍ（ｎ―１６））
・・・（式２）
【００５２】
図１３の例では、閾値Ｌ＿Ｔｈ以下の第１判定値Ｌｕｍ＿Ｄｉｆｆに対して重みＲｅｌ＝１が対応付けられている。そのため、第１判定値が閾値以下である場合（変化判定処理で変化が生じないと判定されている場合）には、合成値Ｃａｌ＿Ｌｕｍ（ｎ）として検出値Ｌｕｍ（ｎ）と同じ値が得られる。そして、閾値より大きい第１判定値に対しては、第１判定値が大きいほど低い重みが対応付けられている。そのため、第１判定値が閾値より大きい場合（変化判定処理で変化が生じると判定されている場合）には、合成値Ｃａｌ＿
Ｌｕｍ（ｎ）として検出値Ｌｕｍ（ｎ）を補正した値が得られる。具体的には、第１判定値が大きいほど、Ｌｕｍ（ｎ）に対するＬｕｍ（ｎ＋１６）−Ｌｕｍ（ｎ―１６）の重みが高くなるように重みが設定されて、合成値Ｃａｌ＿Ｌｕｍ（ｎ）が算出される。
【００５３】
既に述べたように、発光部間の発光量の差が大きいほど、ハロー現象は顕著に現れる。そのため、第１判定値が大きいほどハロー現象による検出値の変化量が大きい。そして、ハロー現象による検出値の変化量が大きいほど、Ｌｕｍ（ｎ＋１６）−Ｌｕｍ（ｎ―１６）の信頼度の、Ｌｕｍ（ｎ）の信頼度に対する相対値は高くなる。そこで、本実施例では、第１判定値が大きいほど、Ｌｕｍ（ｎ）に対するＬｕｍ（ｎ＋１６）−Ｌｕｍ（ｎ―１６）の重みが高くなるように重みを設定して、合成値Ｃａｌ＿Ｌｕｍ（ｎ）を算出している。それにより、変化判定処理で変化が生じると判定されているときに、検出値よりも誤差が小さい合成値を得ることができる。
【００５４】
以上述べたように、本実施例によれば、変化判定処理で変化が生じると判定されているときに、検出値よりも誤差が小さい合成値を用いてキャリブレーションが行われる。そのため、変化判定処理で変化が生じるときに、検出値をそのまま用いるよりも精度良くキャリブレーションを行うことができる。
【符号の説明】
【００５５】
１００，２００，４００：画像表示装置  １０２：発光部  １０３：表示部  １０４：光センサ  １０６：輝度検出部  １０７：発光パターン計算部  １０８，２０８，４０８：センサ使用判定部  １１０，４１０：キャリブレーション部
【図１】
2014238570.tif 000003
【図２】
2014238570.tif 000004
【図３】
2014238570.tif 000005
【図４】
2014238570.tif 000006
【図５】
2014238570.tif 000007
【図６】
2014238570.tif 000008
【図７】
2014238570.tif 000009
【図８】
2014238570.tif 000010
【図９】
2014238570.tif 000011
【図１０】
2014238570.tif 000012
【図１１】
2014238570.tif 000013
【図１２】
2014238570.tif 000014
【図１３】
2014238570.tif 000015
【図１４】
2014238570.tif 000016